(57)【要約】【課題】視認しやすい日付表示と斬新なデザインの暦時計を実現する。【解決手段】暦時計１は、１箇月である３１日分の暦表示のうち、１日から１５日を指示する第１暦指針５と、１６日から３１日を指示する第２暦指針６と、を有している。そして、第１暦指針５が固定される第１暦車と、第２暦指針６が固定される第２暦車と、それぞれ回転中心を有する第１暦送りカムと第２暦送りカムと、第１暦送りカムの回転に連動して第１暦車を回動する第１暦送り部材と、第２暦送りカムの回転に連動して第２暦車を回動する第２暦送り部材と、を有している。このような構成にすることで、視認しやすい日付表示と斬新なデザインの暦時計を実現できる。なお、１日から１５日を表す第１暦表示目盛１０と、１６日から３１日を表示する第２暦表示目盛１１と、を設けるのが好ましい。【選択図】図１
2012013457.tif 000002
【特許請求の範囲】
【請求項１】
１箇月である３１日分の暦表示のうち、１日から１５日の日付を指示する第１暦指針と、１６日から３１日の日付を指示する第２暦指針と、
上記第１暦指針が固定される第１暦車と、
上記第２暦指針が固定される第２暦車と、
それぞれ回転中心を有する第１暦送りカムと第２暦送りカムと、
上記第１暦送りカムの回転に連動して上記第１暦車を回動する第１暦送り部材と、
上記第２暦送りカムの回転に連動して上記第２暦車を回動する第２暦送り部材と、
を有することを特徴とする暦時計。
【請求項２】
請求項１に記載の暦時計において、
前記第１暦指針が、前記第１暦車送り部材により日付の１５日を指示してから２４時間後に、日付を示さない位置である第１無指示位置まで回動されると同時に、前記第２暦指針が、前記第２暦送り部材により日付の１６日を指示し、
前記第２暦指針が、前記第２暦車送り部材により日付の３１日を指示してから２４時間後に、日付を示さない位置であり、前記第１無指示位置とは異なる位置の第２無指示位置まで回動されると同時に、前記第１暦指針が、前記第１暦送り部材により日付の１日を指示することを特徴とする暦時計。
【請求項３】
請求項１または請求項２に記載の暦時計において、
前記第２暦指針が前記第２無指示位置に達したときに、前記第１暦送りカムの頂部と前記第１暦送り部材との係合が解除され、前記第１暦指針が日付の１日を指示する位置まで瞬間的に回動され、
前記第１暦指針が前記第１無指示位置に達したときに、前記第２暦送りカムの頂部と前記第２暦送り部材との係合が解除され、前記第２暦指針が日付の１６日を指示する位置まで瞬間的に回動されることを特徴とする暦時計。
【請求項４】
請求項１に記載の暦時計において、
前記第１暦指針が指示する１日から１５日の日付を表す略扇形の円弧形状の第１暦表示目盛と、
前記第２暦指針が指示する１６日から３１日の日付を表す略扇形の円弧形状の第２暦表示目盛と、
をさらに有することを特徴とする暦時計。
【請求項５】
請求項４に記載の暦時計において、
前記第１暦表示目盛と前記第２暦表示目盛とが、時刻表示指針の回転軸を挟んで対向する位置に配置されていることを特徴とする暦時計。
【発明の詳細な説明】
【技術分野】
【０００１】
本発明は、暦時計に関する。
【背景技術】
【０００２】
古くから、時計には日付や曜日などの暦表示が可能なものが多く存在している。特に、指針で時刻表示を行うアナログ時計の場合、文字板に開けられた暦窓に文字や数字で暦表示するものが一般的である。また、このような一般的なものの他に、メカニカルなデザインを実現するために、指針を用いて暦表示を行うものも多く商品化されている。
【０００３】
指針で日付表示を行う場合、文字板の一方側の同一円周上に１箇月である３１日のうち、１日から１６日の数字を表した内側列日付と、この内側列日付の外側の同心円周上に１７日から３１日の数字を表した外側列日付と、をそれぞれ半月状に付し、日車に付された日付指示表示により日付を順に指示する暦時計がある（たとえば、特許文献１参照）。
【０００４】
また、１箇月である３１日を扇形に目盛表示し、指針を扇形に往復駆動して日付を指示するという、いわゆるレトログラード表示（ｒｅｔｒｏｇｒａｄｅ  ｔｙｐｅ）の暦時計というものがある（たとえば、特許文献２参照）。
【先行技術文献】
【特許文献】
【０００５】
【特許文献１】特開平４−３２８４８９号公報
【特許文献２】特開平１１−６８８０号公報
【発明の概要】
【発明が解決しようとする課題】
【０００６】
上述した特許文献１では、日車に付された日付数字により日付を指示するものであり、指針による時刻指示とは異なり、時刻と日付とを指針にて指示することによる統一感、精密感のあるデザインの実現は不可能である。
【０００７】
また、特許文献２では１箇月である３１日を扇形に目盛表示している。このような構成では、時刻表示指針を時計の中央に配置する場合、１日毎の目盛の間隔が小さくなり日付の判読性が悪くなるという課題がある。さらに、このような日付表示の形態は、これまで数多く商品化されているため、一般化しすぎており、デザイン上の目新しさは無く、斬新感に欠ける。また、このような成熟した製品であるからこそ、斬新なデザインの暦時計が市場から求められている。
【課題を解決するための手段】
【０００８】
本発明は、上述の課題の少なくとも一部を解決するためになされたものであり、以下の形態として実現することが可能である。
【０００９】
本発明の一つの形態例に係る暦時計は、１箇月である３１日分の暦表示のうち、１日から１５日の日付を指示する第１暦指針と、１６日から３１日の日付を指示する第２暦指針と、第１暦指針が固定される第１暦車と、第２暦指針が固定される第２暦車と、それぞれ回転中心を有する第１暦送りカムと第２暦送りカムと、第１暦送りカムの回転に連動して第１暦車を回動する第１暦送り部材と、第２暦送りカムの回転に連動して第２暦車を回動する第２暦送り部材と、を有することを特徴とする。
【００１０】
本形態例によれば、１箇月の日付表示のうち、１日から１５日の間の日付指示と、１６日から３１日の間の日付指示とをそれぞれ第１暦指針と、第２暦指針で独立して表示するため、特に、ウオッチのような文字板の表示面積が小さい場合であっても、日付を明確に指示することができる。
【００１１】
また、時刻と日付とを指針にて指示することによって、統一感、精密感のあるデザインを実現することができる。
【００１２】
また、第１暦指針が、第１暦車送り部材により日付の１５日を指示してから２４時間後に、日付を示さない位置である第１無指示位置まで回動されると同時に、第２暦指針が、第２暦送り部材により日付の１６日を指示し、第２暦指針が、第２暦車送り部材により日付の３１日を指示してから２４時間後に、日付を示さない位置であり、第１無指示位置とは異なる位置の第２無指示位置まで回動されると同時に、第１暦指針が、第１暦送り部材により日付の１日を指示することが好ましい。
【００１３】
ここで、第１無指示位置とは、第１暦指針が日付を示さない位置であって、第２無指示位置とは、第２暦指針が日付を示さない位置である。つまり、第１暦指針が１日〜１５日の間の日付を指示しているときには、第２暦指針は日付を示さない。また、第２暦指針が１６日〜３１日の間の日付を指示しているときには、第１暦指針は日付を示さない。このようにすることにより、第１暦指針が１５日を指示した２４時間後に第２暦指針によって日付の１６日を指示することができ、第２暦指針が３１日を指示した２４時間後に第１暦指針によって日付の１日を指示することができる。よって、２つの暦指針を有する構成でありながら１箇月の３１日を連続して指示することを可能にする。
【００１４】
また、第２暦指針が第２無指示位置に達したときに、第１暦送りカムの頂部と第１暦送り部材との係合が解除され、第１暦指針が日付の１日を指示する位置まで瞬間的に復帰され、第１暦指針が第１無指示位置に達したときに、第２暦送りカムの頂部と第２暦送り部材との係合が解除され、第２暦指針が日付の１６日を指示する位置まで瞬間的に復帰されることが好ましい。
【００１５】
このようにすれば、たとえば、日付が１日の０時に達した時点で、第１暦指針は瞬間的に１日を指示し、日付が１６日の０時に達した時点で、第２暦指針は瞬間的に１６日を指示ことができ、第１暦指針および第２暦指針は、略扇形に往復回動する、いわゆるレトログラード表示を可能にする。
【００１６】
また、第１暦指針が指示する１日から１５日の日付を表す略扇形の円弧形状の第１暦表示目盛と、第２暦指針が指示する１６日から３１日の日付を表す略扇形の円弧形状の第２暦表示目盛と、をさらに有するものとするのが好ましい。
【００１７】
この形態例によれば、１箇月の日付表示のうち、１日から１５日まで第１暦表示目盛で表し、１６日から３１日までを第２暦表示目盛で表しているため、文字板全体の表示面積が小さい場合であっても、１箇月の３１日を明確に指示することができる。
【００１８】
さらに、第１暦表示目盛と第２暦表示目盛とが、時刻表示指針の回転軸を挟んで対向する位置に配置されていることが好ましい。
【００１９】
このような構成にすれば、第１暦表示目盛と第２暦表示目盛とが、文字板の中心方向に対向するように配置できるため、第１暦表示目盛と第２暦表示目盛との間に、他の機能表示をバランスよく配置することを可能にする。他の機能表示としては、例えば、曜日表示、ぜんまいの持続残量表示等があり、時刻と日付に加え、曜日や持続残量表示等を指針にて指示することによって、機能を充実しながら統一感、精密感のあるデザインを実現することができる。
【図面の簡単な説明】
【００２０】
【図１】本発明の実施形態１に係る暦時計の１例を示す外観平面図である。
【図２】図１に示す暦時計に組み込まれる暦機構および持続残量表示機構を示す平面図である。
【図３】図１に示す暦時計に組み込まれる日付表示機構を示す断面図である。
【図４】図１に示す暦時計に組み込まれる日付表示機構の他の部分を示す断面図である。
【図５】図１に示す暦時計に組み込まれる曜日送り機構を示す断面図である。
【図６】図１に示す暦時計に組み込まれる持続残量表示機構を示す断面図である。
【図７】図１に示す暦時計に組み込まれる第１暦送りカムおよび第２暦送りカムの構成を示す平面図である。
【図８】図１に示す暦時計に組み込まれる第１暦送り機構を示す平面図である。
【図９】図１に示す暦時計に組み込まれる第２暦送り機構を示す平面図である。
【発明を実施するための形態】
【００２１】
以下、本発明の実施形態について図面を参照しながら説明する。なお、実施形態にて説明する暦時計は、置時計、掛け時計、ウオッチ等、その形態に限定されないが、ウオッチを例示して説明する。
【００２２】
（実施形態１）
【００２３】
図１は、実施形態１に係る暦時計の１例を示す外観平面図である。図１において、暦時計１には、文字板９の中央部に時刻を表示する時針２、分針３、秒針４が設けられている。また、９時方向には、１箇月である３１日分の暦表示のうち、１日から１５日の日付を指示する第１暦指針５と、３時方向には、１箇月である３１日分の暦表示のうち、１６日から３１日の日付を指示する第２暦指針６と、が設けられている。
【００２４】
さらに、暦時計１の１２時方向には、駆動源としてのぜんまいの持続残量を指示する持続残量表示指針（パワーリザーブ表示指針と呼称することがある）８が設けられ、６時方向には、曜日を指示する曜日表示指針７が設けられている。
【００２５】
文字板９の外周部には時刻表示目盛が設けられ、文字板９の９時方向の表面には第１暦指針５が指示する１日から１５日の日付の数字が付された略扇形の円弧形状の第１暦表示目盛１０が設けられ、３時方向には第２暦指針６が指示する１６日から３１日の日付の数字が付された略扇形の円弧形状の第２暦表示目盛１１が設けられている。つまり、第１暦表示目盛１０と第２暦表示目盛１１とが、時刻表示指針（時針２、分針３、秒針４）の回転軸を挟んで略扇形の円弧形状が対向するよう配置されている。また、１２時方向には持続残量表示指針８が指示する略扇形の円弧形状の持続残量表示目盛１３が設けられ、６時方向には曜日表示指針７が指示する略扇形の円弧形状の曜日表示目盛１２が設けられている。
【００２６】
図１では、第１暦指針５が「１」を指示しており、このときの第２暦指針６は、日付を表示しない第２無指示位置として「００」を指示している。つまり、１箇月３１日の「１日」を表している。なお、第１暦表示目盛の「０」は、第１暦指針５が日付を表示しない第１無指示位置を表し、第２暦指針６が第２暦表示目盛１１の１６日から３１日までを指示する間は、第１暦指針５は「０」を指示している。なお、第１無指示位置および第２無指示位置は、数字表示以外に符号でもよく、さらには空欄としてもよい。
【００２７】
また、図１では、曜日表示指針７が金曜日（ＦＲと表示）を指示し、持続残量表示指針８は、持続残量が１０時間であることを指示している。なお、図１では、各針２，３，４，５，６，７を透きとおるように表示しているが、実際は、非透明となっており、各針２，３，４，５，６，７と重なる部分、すなわち、各指針２，３，４，５，６，７で覆われた文字板９の部分は、表側からは見えない。しかし、各針２，３，４，５，６，７を半透明としたり、一部の針を非透明とし、他の針を透明または半透明としたりしてもよい。
【００２８】
日付表示は、第１暦指針５が１日から１５日までを時計回りに回動して指示し、１５日を指示してから２４時間後に「０」位置まで回動されると同時に、第２暦指針６は「００」位置から瞬間的に時計回りに回動して日付の１６日を指示し、３１日に達するまで１日毎に指示していく。第２暦指針６が、日付の３１日を指示してから２４時間後に「００」位置まで達すると同時に、第１暦指針５が、瞬間的に反時計回りに回動して日付の１日を指示する。
【００２９】
曜日表示は、曜日表示指針７が時計回りに回動して日曜日（ＳＵと表示）から１日毎に曜日を表示していき、土曜日（ＳＡと表示）を表示してから２４時間後に瞬間的に反時計回りに回動して日曜日に復帰する。
【００３０】
持続残量表示は、りゅうず２０を回転してぜんまいを巻き上げると時計回りに回動して全巻き上げのときに４０時間の持続があることを表示し、時計駆動に従い反時計回りに回動していき、最後は、ぜんまいが全く巻き上げられていない初期状態である「０」を表示する。「０」を指示したときには、時計は駆動停止する。
【００３１】
続いて、暦時計１の構成について図面を参照して説明する。
【００３２】
図２は、暦時計１に組み込まれた暦機構および持続残量表示機構を示す平面図、図３および図４は、暦機構のうちの日付表示機構を示す断面図である。なお、暦機構は、基礎ムーブメント３０（図３、図４参照）の断面上方に配置されている。
【００３３】
基礎ムーブメント３０には、動力源としてのぜんまい、脱進機、調速機構、増速機構及び減速機構、時刻表示機構、ぜんまい巻上げ機構、時刻修正機構等を有している。これら各機構は従来の機械式時計における周知の構成のものを採用できるため説明を省略する。なお、基礎ムーブメント３０としては、機械式時計の他にクオーツ式アナログ時計を採用することができる。
【００３４】
まず、図２、図３、図４を参照して、暦時計１の構成中、日付表示機構について説明する。
【００３５】
基礎ムーブメント３０と暦機構とは、図３、図４に示すように基礎ムーブメント３０の機枠（一般に地板と呼ばれる：図示せず）と暦機構の基礎部材としての第１機枠４０によって連結されている。第１機枠４０の平面中央部には、基礎ムーブメント３０から文字板９を貫通する秒針車３１と、秒針車３１をその回転の支持軸とする分針車３２、分針車３２と一体回転する筒かな３３、筒かな３３をその回転の支持軸とする筒車３４が、それぞれ回転可能に装着されている。また、筒車３４には中間伝え歯車３６が固定されている。秒針車３１には秒針４、分針車３２と一体回転する筒かな３３には分針３、筒車３４には時針２がそれぞれ取り付けられており、これらの指針は時刻を指示する。
【００３６】
第１機枠４０の中央凸部には、筒車３４と回転中心を共通にする暦送り歯車５０が回転可能に装着されている。そして、暦送り歯車５０には、円盤状のカム座５２、第１暦送りカム６０、第２暦送りカム７０、が、それぞれが同心となるように順に積み重ねられており、かつ２本のカム固定軸５１（図３では１本のみ示す）によって互いが相対回転不能となるよう固定されている。
【００３７】
暦送り歯車５０、カム座５２、第１暦送りカム６０、および第２暦送りカム７０は、２本のカム固定軸５１によって、一体化された状態で、第１機枠４０と第３機枠４２の間で回転可能に支持されている。よって、第１暦送りカム６０と第２暦送りカム７０とは、暦送り歯車５０と共に同心で回転する。なお、第１機枠４０には、第３機枠４２の高さ方向および平面方向の位置を規制するための位置決め軸３５が固定されている。
【００３８】
また、暦送り歯車５０の回転方向の位置を規制する暦送り車ジャンパー５５が第１機枠４０の面上に配置されている。暦送り車ジャンパー５５は、暦送り歯車５０に係合する歯車係合部５８と、歯車係合部５８を暦送り歯車５０に付勢するバネ部５７とを有し、案内軸５６に装着され、第１機枠４０と第２機枠４１との間で保持されている。
【００３９】
暦機構は図２、図４に示すように、さらに、中間伝え歯車３６の回転を伝達する中間歯車３７と、中間歯車３７の回転を伝達する日・曜送り車１２０を有する。日・曜送り車１２０は、支持軸１２６に固定された日・曜送り歯車１２２と、暦送り爪１２３と、曜送り爪１２５とを有している。日・曜送り車１２０は、その中心に設けられる円柱状の貫通孔が、第１機枠４０に固定された日・曜送り車軸１２１の外周を囲むように装着され、日・曜送り車軸１２１を回転支持軸として同心で回転可能である。
【００４０】
１２時間で１回転する筒車３４の回転は、中間伝え歯車３６、中間歯車３７を介して日・曜送り歯車１２２に減速比１／２で伝達される。よって、日・曜送り歯車１２２は２４時間で１回転し、暦送り爪１２３も、日・曜送り歯車１２２と共に２４時間で１回転する。暦送り爪１２３は、暦送り歯車５０を２４時間で１歯ずつ回転させる。暦送り歯車５０は、外周に均等間隔にて３１枚の歯を有しているので３１日（１箇月）で１回転する。よって、第１暦送りカム６０と第２暦送りカム７０も３１日で１回転する。
【００４１】
続いて、図２、図３を参照して、１箇月の１日から１５日を指示する第１暦送り機構と、１６日から３１日を指示する第２暦送り機構の構成について説明する。まず、第１暦送り機構について説明する。第１暦送り機構は、第１暦送りカム６０によって第１機枠４０に固定された軸８１を回転中心として揺動される第１暦送り部材としての第１暦送りレバー８０と、第１暦送りレバー８０によって回転され、第１暦指針５が取り付けられる第１暦車１００とを有している。
【００４２】
第１暦車１００は、図３に示すように、第１暦車軸１０１と、第１暦車軸１０１に固定された第１暦歯車１０２と、を有し、第１機枠４０と第３機枠４２との間で回転可能に支持されている。
【００４３】
第１暦送りレバー８０は、図２に示すように、第１暦送りカム６０のカム面（側面）に当接するよう突設されたカム当接部８４と、カム当接部８４を第１暦送りカム６０のカム面に附勢するためのバネ部８２と、第１暦歯車１０２と歯み合い第１暦車１００を回転する歯車部８３と、を有している。なお、第１暦送りレバー８０は、第２機枠４１と第３機枠４２との間に保持されている。
【００４４】
また、第１暦送り機構は、第１暦車１００の回転を第１暦歯車１０２の１歯ずつ節度よく規制するための第１暦車ジャンパー８５を有している。第１暦車ジャンパー８５は、第１暦車１００と係合する第１暦車係合部８７と、第１暦車係合部８７を第１暦車１００に附勢するバネ部８６と、を有している。第１暦車ジャンパー８５は、第２機枠４１に固定された案内軸８８に案内孔８７ｂを装着し、固定ねじ８９で第２機枠４１に固定されている。
【００４５】
なお、第１暦車係合部８７の先端部には、半島状に突出された位置決め部８７ａが形成されており、第２機枠４１に設けられた位置決め壁４１ａに位置決め部８７ａを当接させて、第１暦車１００に対する第１暦車係合部８７の附勢力を所定の範囲内に制御している。なお、第１暦送り機構の日付送り作用については、図７、図８を参照して後述する。
【００４６】
次に、第２暦送り機構の構成について説明する。第２暦送り機構は、第１機枠４０に固定された軸９１を回転支持軸として、第２暦送りカム７０によって揺動される第２暦送り部材としての第２暦送りレバー９０と、第２暦送りレバー９０によって回転され、第２暦指針６が取り付けられる第２暦車１１０とを有している。
【００４７】
第２暦車１１０は、図３に示すように、第２暦車軸１１１と、第２暦車軸１１１に固定された第２暦歯車１１２と、を有し、第１機枠４０と第３機枠４２との間で回転可能に支持されている。
【００４８】
第２暦送りレバー９０は、図２に示すように、第２暦送りカム７０のカム面（側面）に当接するよう突設されたカム当接部９４と、カム当接部９４を第２暦送りカム７０のカム面に附勢するためのバネ部９２と、第２暦歯車１１２と歯み合い第２暦車１１０を回転する歯車部９３と、を有している。なお、第２暦送りレバー９０は、第２機枠４１と第３機枠４２との間に保持されている。
【００４９】
また、第２暦送り機構は、第２暦車１１０の回転を１歯ずつ節度よく規制するための第２暦車ジャンパー９５を有している。第２暦車ジャンパー９５は、第２暦歯車１１２と係合する第２暦車係合部９７と、第２暦車係合部９７を第２暦車１１０に附勢するバネ部９６と、を有している。第２暦車ジャンパー９５は、第２機枠４１に固定された案内軸９８に案内孔９７ｂを装着し、固定ねじ９９で第２機枠４１に固定されている。
【００５０】
なお、第２暦車係合部９７の先端部には、半島状に突出された位置決め部９７ａが形成されており、第２機枠４１に設けられた位置決め壁４１ｂに位置決め部９７ａを当接させて、第２暦車１１０に対する第２暦車係合部９７の附勢力を所定の範囲内に制御している。また、第２暦送り機構の日付送り作用については、図７、図９を参照して後述する。
【００５１】
次に、暦時計１の構成中、曜日送り機構の構成について図２、図５を参照して説明する。
【００５２】
図５は、曜日送り機構を示す断面図である。曜日送り機構は、前述した曜送り爪１２５によって回転される曜送り車１３０と、曜送り車１３０の回転により第１機枠４０に固定された曜送りレバー軸１４１を回転支持軸として揺動される曜送りレバー１４０と、曜送りレバー１４０によって回転され、曜日表示指針７が取り付けられる曜日表示指針車１５０と、を有している。
【００５３】
曜送り車１３０は、１４枚の歯部が形成された曜星車１３２と、曜星車１３２に重ねて配置される曜送りカム１３３と、を有し、両者は固定軸１３４によって１体化されている。そして、曜送り車１３０は、第１機枠４０に固定された曜送り車軸１３１に装着され、曜送り車軸１３１を回転支持軸として回転可能である。
【００５４】
曜送りレバー１４０は、図２に示すように、曜送りカム１３３のカム面（側面）に当接するよう突設されたカム当接部１４４と、カム当接部１４４を曜送りカム１３３のカム面に附勢するためのバネ部１４２と、曜日表示指針車１５０を回転する歯車部１４３と、を有している。なお、曜送りレバー１４０は、第２機枠４１と第３機枠４２との間に保持されている。
【００５５】
曜日表示指針車１５０は、図５に示すように、曜日表示指針７が取り付けられる支持軸１５１に固定される曜日表示指針歯車１５２を有し、第１機枠４０と第３機枠４２との間で回転可能に保持されている。曜日表示指針歯車１５２は、曜送りレバー１４０の歯車部１４３と歯み合っている。
【００５６】
また、曜日送り機構は、図２に示すように、曜日表示指針車１５０を１歯ずつ節度よく規制するための曜ジャンパー１３６を有している。曜ジャンパー１３６は、曜星車１３２と係合する曜星車係合部１３８と、曜星車係合部１３８を曜星車１３２に附勢するバネ部１３７と、を有している。なお、曜ジャンパー１３６は、第１機枠４０に固定された２本の案内軸１３９により平面方向の位置が規制され、第１機枠４０と第２機枠４１の間で保持されている（図５も参照）。
【００５７】
続いて、曜日送り作用について図２を参照して説明する。
【００５８】
なお、図２に示す状態は、支持軸１５１に取り付けられる曜日表示指針７が１週間の最初、つまり日曜日（ＳＵを表示：図１参照）を指示している状態である。日・曜送り車１２０は１日（２４時間）で１回転し、曜送り爪１２５は１回転する間に曜星車１３２の２歯分だけ回転させる。曜星車１３２に固定された曜送りカム１３３も、１日で反時計回りに曜星車１３２の２歯分回転する。
【００５９】
曜送りカム１３３は、カム面が螺旋形状をしていることから、この曜送りカム１３３の回転に伴い、すなわち、カム面の低い部分から高い部分に移行するに従い、曜送りレバー１４０は、曜送りレバー軸１４１を回転中心として図２において反時計回りに回転し、１日分ずつ曜日表示指針車１５０を図２において時計回りに土曜日（ＳＡを表示：図１参照）まで１週間分回転していく。土曜日を指示するまで回転し、さらに２４時間を経過すると、曜送りレバー１４０のカム当接部１４４と曜送りカム１３３のカム頂点１３３ａとの係合が解除される。
【００６０】
すると、曜送りレバー１４０は、バネ部１４２によって曜送りカム１３３に向かって附勢されているので、カム面の高い部分から低い部分に瞬間的に移行し、結果として、曜送りレバー１４０は、瞬間的に反時計回り方向に回動される。そして、歯車部１４３によって曜日表示指針車１５０が図２において反時計回りに回転され、曜日表示指針７が土曜日から瞬間的に日曜日を指示することとなる。この作用を１週間で繰り返す。すなわち、曜送りレバー１４０は、１週間を単位として揺動し元に戻る。
【００６１】
なお、曜星車１３２の回転位置は、曜ジャンパー１３６によって規制されているため、曜日表示指針車１５０の回転位置も規制され、曜日表示指針７は曜表示文字上から外れることなく指示する。
【００６２】
次に、暦時計１の構成中の持続残量表示機構の構成について、図２、図６を参照して説明する。
【００６３】
図６は、持続残量表示機構を示す断面図である。持続残量表示機構は、持続残量表示指針８が取り付けられた持続残量表示車１７０と、香箱１６０と持続残量表示車１７０とを連結する伝達歯車１６５と、を有している。
【００６４】
香箱１６０は、動力源としてのぜんまいが内蔵されており、ぜんまいがほどけるに従い、図２で見て反時計回りに回転する。香箱１６０の構成および機能については周知であるので説明は省略する。
【００６５】
伝達歯車１６５は、第１機枠４０に固定された軸１６６に回転可能に装着されており、香箱１６０の回転を持続残量表示車１７０に伝達する。
【００６６】
持続残量表示車１７０は、持続残量表示歯車１７１と持続残量表示車軸１７２とからなり基礎ムーブメント３０の機枠（図示せず）と第１機枠４０との間で保持されている。
【００６７】
ぜんまいが巻き締められた状態のとき、本実施形態では持続残量時間は４０時間である（図１では１０時間を表示）。そして、時計を駆動するに従い、香箱１６０はぜんまいの弾性力によって反時計回りに回転し、伝達歯車１６５を介して持続残量表示車１７０を反時計回りに回転する。そして、４０時間を経過すると持続残量表示指針８は「０（時間）」を表示する。このとき、時計は停止する。そして、ぜんまいを巻き締める程度により持続残量表示指針８が、巻き締め量に応じた持続残量時間を指示する。
【００６８】
次に、第１暦送り機構および第２暦送り機構の日付送り作用について図７等を参照して説明する。
【００６９】
まず、日付送り作用について説明する前に、日付送り駆動を律する第１暦送りカム６０および第２暦送りカム７０の構成を詳しく説明する。なお、図２も参照する。
【００７０】
図７は、第１暦送りカム６０および第２暦送りカム７０の構成を示す平面図である。ここで、符号Ｐ１は第１暦送りカム６０および第２暦送りカム７０の共通の回転中心であり、符号Ｐ２は第１暦送りレバー８０の回転中心であり、符号Ｐ３は第２暦送りレバー９０の回転中心である。また、符号Ｋ１は第１暦送りレバー８０のカム当接部８４の回転軌跡を表し、符号Ｋ２は第２暦送りレバー９０のカム当接部９４の回転軌跡を表している。
【００７１】
第１暦送りカム６０は、ｄ１位置からｄ３位置までのカム面が螺旋形状に形成されており、第１暦送りカム６０が図２、図７で見て反時計回りに回転し、回転軌跡Ｋ１上にｄ１位置が達したときが日付の１日の０時であり、ｄ３位置に達したときが１５日の０時から２４時間経過後の位置である。第１暦送りカム６０は３１日で１回転する。したがって、１日（２４時間）当りの回転角度は３６０／３１度であり、ｄ１位置からｄ３位置までの回転角度は、「３６０×（１５／３１）」度である。
【００７２】
また、第１暦送りカム６０のカム面の螺旋形状が、一定角度回転する毎に半径が一定分増加する形状となっているので、回転中心Ｐ１からｄ１位置までの距離をＬ１、回転中心Ｐ１からｄ３位置までの距離をＬ２とすると、回転軌跡Ｋ１上において１日当り「（Ｌ２−Ｌ１）／１５」だけ第１暦送りレバー８０を図２で見て反時計回り方向に揺動させる。
【００７３】
また、ｄ３位置からｄ４位置までの間の回転角度は１日分の「３６０／３１」度であり、回転中心Ｐ１からｄ４位置までの距離をＬ３とすると、「Ｌ３−Ｌ２＝２×（（Ｌ２−Ｌ１）／１５）」としている。つまり、この間では、第１暦送りレバー８０の移動量（揺動量）は、ｄ１位置からｄ３位置までの間における各１日分の移動量（揺動量）の２倍の距離を移動する。
【００７４】
また、第１暦送りカム６０のｄ４位置からｄ５位置までの間の回転中心Ｐ１からの距離はＬ３であって、同心円上にあるため、この間では第１暦送りレバー８０は揺動しない。つまり、日付送りをしない。
【００７５】
なお、図７に図示した状態は、回転軌跡Ｋ１が第１暦送りカム６０のｄ２位置と交差した場合を表している。このｄ２位置は、ｄ１位置から「３６０×（１５／３１）」度だけ回転した位置である。よって、ｄ２位置は日付の２日を指示する位置である。
【００７６】
第２暦送りカム７０は、ｄ６位置からｄ７位置までのカム面が螺旋形状に形成されており、第２暦送りカム７０が図２、図７で見て反時計回りに回転し、回転軌跡Ｋ２上にｄ６位置が達したときが日付の１６日の０時であり、ｄ７位置に達したときが３１日の０時から２４時間後の位置である。第２暦送りカム７０も３１日で１回転する。したがって、１日（２４時間）当りの回転角度は「３６０／３１」度であり、ｄ５位置からｄ７位置までの回転角度は、「３６０×（１６／３１）」度である。
【００７７】
また、回転中心Ｐ１からｄ６位置までの距離をＬ４、回転中心Ｐ１からｄ７位置までの距離をＬ５とすると、回転軌跡Ｋ２上において１日当り「（Ｌ５−Ｌ４）／１６」だけ第２暦送りレバー９０を図２で見て時計回り方向に移動（揺動）させる。
【００７８】
また、ｄ７位置からｄ８位置までの間の回転角度は１日分の「３６０／３１」度であり、回転中心Ｐ１からｄ８位置までの距離をＬ６とすると、「Ｌ６−Ｌ５＝２×（（Ｌ５−Ｌ４）／１６）」としている。つまり、この間では、第２暦送りレバー９０の移動量（揺動量）は、ｄ６位置からｄ７位置までの１日（２４時間）分の移動量（揺動量）の２倍の距離を移動（揺動）する。
【００７９】
また、第２暦送りカム７０のｄ８位置からｄ９位置までの間の回転中心Ｐ１からの距離はＬ６であって、同心円上にあるため、この間では第２暦送りレバー９０は揺動しない。つまり、日付送りをしない。
【００８０】
続いて、第１暦送り機構および第２暦送り機構の日付送り作用について図８、図９等を参照して説明する。なお、分かりやすく説明するために、第１暦送り機構と、第２暦送り機構とを分けて図示して説明する。なお、図７も参照する。
【００８１】
まず、第１暦送り機構の日付送り作用について説明する。
【００８２】
図８は、第１暦送り機構を示す平面図である。上述したように、まず、時針２が取り付けられている筒車３４が１２時間で１回転する。この回転は、中間伝え歯車３６に伝達され、中間伝え歯車３６も、同様に、１２時間で１回転する。その回転は、中間歯車３７を介して日・曜送り歯車１２２に伝達される。日・曜送り歯車１２２は、２４時間に１回転するよう減速されて回転する。日・曜送り歯車１２２と一体で回転する暦送り爪１２３は、１回転するたびに暦送り歯車５０をその１歯分だけ図８で見て反時計回り方向に回転させる。よって、第１暦送りカム６０も暦送り歯車５０の１歯分だけ回転する。暦送り歯車５０は３１枚の歯部を有しているので、暦送り歯車５０は３１日（１箇月）で１回転する。
【００８３】
暦送り歯車５０の回転方向の位置は、暦送り車ジャンパー５５によって１歯ずつ規制されるため、暦送り爪１２３による暦送り歯車５０の送り開始位置は常に一定の関係となる。
【００８４】
なお、図８は、第１暦送りレバー８０のカム当接部８４が、第１暦送りカム６０のｄ２位置にバネ部８２の弾性力によって附勢されており、日付の２日０時の位置を表している。
【００８５】
第１暦送りカム６０は、図８で見て反時計回り方向にｄ１位置から１日（２４時間）分ずつ回転していき、ｄ３位置が第１暦送りレバー８０のカム当接部８４の回転軌跡Ｋ１に達した時が日付の１５日０時の位置である。
【００８６】
第１暦送りカム６０の回転によって揺動される第１暦送りレバー８０は、歯車部８３と噛み合う第１暦車１００を時計回り方向に１日から１５日までを１日分ずつ回転し、第１暦指針５で日付を指示する。第１暦車１００は、第１暦車ジャンパー８５により、１歯ずつの回転位置を規制し、日付の１日毎の指示位置がふらつくことがない。
【００８７】
なお、日付の１日から１５日までの日付送りの間は、第２暦指針６は日付表示を行わない位置を指示しなければならない。この位置を第２無指示位置とし、実施形態１（図１、参照）では第２暦指針６は第２暦表示目盛１１の「００」を指示する。
【００８８】
第１暦送りレバー８０は、第１暦送りカム６０のｄ３位置が回転軌跡Ｋ１に達してからｄ４位置に達する２４時間の間に、１日から１５日までの揺動量の２倍揺動され、第１暦車１００を２日分回転する。ｄ３位置は、日付の１５日０時位置に相当するため、ｄ３位置からｄ４位置までの２４時間は、第１暦指針５の第１無指示位置とし、第１暦指針５は第１暦表示目盛１０の「０」を指示する。なお、ｄ３位置からｄ４位置までは、２４時間をかけて移動するのではなく、暦送り爪１２３が暦送り歯車５０を送り始める時刻（通常は２３時頃）から暦送り歯車５０が暦送り車ジャンパー５５の頂点を乗り越える時刻（２４時）までの約１時間をかけて移動する。
【００８９】
第１暦送りカム６０のｄ５位置が回転軌跡Ｋ１に一致するまで回転し、回転軌跡Ｋ１を超えた瞬間にカム当接部８４と第１暦送りカム６０の頂部６０ａとの係合が外れ、頂部６０ａがｄ１位置に附勢される。このときが、日付の１日０時である。
【００９０】
なお、暦送り歯車５０には暦送り車ジャンパー５５が係合している。暦送り歯車５０は、暦送り爪１２３によって２４時間の１歯ずつ間欠的に回転されるが、暦送り車ジャンパー５５の暦送り歯車係合部５８の頂部を歯部が乗り越えるまではほぼ一定の速度で回転する。そして、頂部を乗り越えた瞬間に、暦送り車ジャンパー５５の弾性力によって次の歯部係合位置まで回転される。
【００９１】
このような暦送り歯車５０の回転と同期して第１暦送りカム６０が回転し、第１暦送りレバー８０が揺動して第１暦車１００も間欠的な回転をする。
【００９２】
そこで、カム当接部８４と第１暦送りカム６０の頂部６０ａとの係合が外れた瞬間の状態で第１暦指針５を第１暦表示目盛１０の１日の中心部（図１ではドット表示している）を指示する位置に取り付ければよい。なお、実際には、りゅうずにより時刻合わせ操作を行い、カム当接部８４と第１暦送りカム６０の頂部６０ａとの係合が外れた瞬間に、第１暦指針５が１日を指示するように第１暦指針５を取り付ける。
【００９３】
したがって、回転軌跡Ｋ１とｄ１位置が一致した時に日付の１日、ｄ２位置の時に２日、ｄ３位置に至る前の２４時間が日付の１５日、ｄ４位置からｄ５位置までの期間が第１無指示表示としての「０」表示としている。
【００９４】
なお、第１暦車１００には第１暦送りジャンパー８５の第１暦車係合部８７が係合している。第１暦送りジャンパー８５は、第１暦車１００の回転を１歯ずつ節度よく間欠的に回転させるために設けている。その際、暦送り歯車５０の間欠的な回転と同期させるために、第１暦車係合部８７の周方向位置を調整可能にしている。
【００９５】
続いて、第２暦送り機構の日付送り作用について説明する。
【００９６】
図９は、第２暦送り機構を示す平面図である。中間伝え歯車３６から第１暦送り歯車５０までの回転伝達機構、暦送り車ジャンパー５５の構成および作用は、第１暦送り機構と共通であるため、それらの説明を省略する。なお、図９は、日付の第２無指示位置としての「００」位置の状態を表している。
【００９７】
第２暦送りカム７０は反時計回りに回転するが、ｄ８位置からｄ９位置までの間は同心円上にあるため、第２暦送りレバー９０は揺動せず、第２暦車１１０も回転しないので日付の指示は変わらない。
【００９８】
第２暦送りカム７０は、ｄ９位置が回転軌跡Ｋ２に一致するまで回転し、回転軌跡Ｋ２を超えた瞬間にカム当接部９４と第２暦送りカム７０の頂部７０ａとの係合が外れ、頂部７０ａがｄ６位置に附勢される。このときが、日付の１６日０時である。
【００９９】
第２暦送りカム７０は、図９で見て、反時計回り方向にｄ６位置から１日（２４時間）分ずつ回転していき、ｄ７位置が回転軌跡Ｋ２に達した時が日付の３１日０時の位置である。
【０１００】
第２暦送りカム７０の回転によって揺動される第２暦送りレバー９０は、歯車部９３と噛み合う第２暦車１１０を図９で見て時計回り方向に１６日から３１日までを１日分ずつ回転し、第２暦指針６で日付を指示する。第２暦車１１０は、第２暦車ジャンパー９５により、１歯ずつの回転位置が規制されているので、日付の１日毎の指示位置がふらつくことがない。
【０１０１】
なお、日付の１６日から３１日までの日付送りの間は、第１暦指針５は日付表示を行わない位置を指示しなければならない。この位置を第１無指示位置とし、実施形態１（図１、参照）では第１暦指針５は第１暦表示目盛１０の「０」を指示する。
【０１０２】
第２暦送りレバー９０は、第２暦送りカム７０のｄ７位置が回転軌跡Ｋ２に達してからｄ８位置に達する２４時間の間に、１６日から３１日までの各１日分の移動量（揺動量）の２倍の距離を移動（揺動）し、第２暦車１１０を２日分回転させる。
【０１０３】
なお、前述したように、暦送り歯車５０は、暦送り爪１２３によって２４時間の１歯ずつ間欠的に回転されるが、暦送り車ジャンパー５５の暦送り歯車係合部５８の頂部を歯部が乗り越えるまではほぼ一定の速度で回転する。そして、頂部を乗り越えた瞬間に、暦送り車ジャンパー５５の弾性力によって次の係合位置まで回転される。
【０１０４】
このような暦送り歯車５０の回転と同期して第２暦送りカム７０が間欠的に回転し、第２暦送りレバー９０も間欠的に揺動し、第２暦車１１０も間欠的な回転をする。
【０１０５】
そこで、カム当接部９４と第２暦送りカム７０の頂部７０ａとの係合が外れた瞬間の状態で第２暦指針６を第２暦表示目盛の１６日の中心部（図１ではドット表示している）を指示する位置に取り付ければよい。なお、実際には、りゅうずを操作して時刻合わせ操作を行い、カム当接部９４と第１暦送りカム７０の頂部７０ａとの係合が外れた瞬間に、第２暦指針６が１６日を指示するように第２暦指針６を取り付ける。
【０１０６】
なお、回転軌跡Ｋ１に第１暦送りカム６０のｄ１位置が達したタイミングで、第２暦指針６を「００」位置を指示するように取り付けてもよい。
【０１０７】
したがって、回転軌跡Ｋ２とｄ６位置が一致した時に日付の１６日、ｄ７位置に至る前の２４時間が日付の３１日、ｄ８位置からｄ９位置までの期間が第２無指示表示としての「００」表示としている。
【０１０８】
なお、日付の１５日から第１無指示位置である「０」位置に移行する第１暦車１００の回転角度は、通常の２日分の回転角度とすることにより、１５日の日付指示と、第１無指示位置である「０」位置とを誤認識しないように配慮している。
【０１０９】
また、第２暦車１１０においても、日付の３１日から第２無指示位置である「００」位置に移行する第２暦車１１０の回転角度は、通常の２日分の回転角度とすることにより、３１日の日付指示と、第２無指示位置である「００」位置とを誤認識しないように配慮している。
【０１１０】
したがって、本形態例によれば、１箇月の日付表示のうち、１日から１５日の間の日付指示と、１６日から３１日の間の日付指示とをそれぞれ第１暦指針５と、第２暦指針６で独立して表示するため、特に、ウオッチのような文字板９の表示面積が小さい場合であっても、日付を明確に指示することができる。
【０１１１】
また、時刻と日付表示とを指針にて指示することによって、統一感、精密感のあるデザインを実現することができる。
【０１１２】
また、第１暦指針５が、日付の１５日を指示してから２４時間後に日付の第１無指示位置まで回動されると同時に第２暦指針６が日付の１６日を指示し、第２暦指針６が、日付の３１日を指示してから２４時間後に日付の第２無指示位置まで回動されると同時に、第１暦指針５が日付の１日を指示する。よって、２つの暦指針を有する構成でありながら１箇月の３１日を連続して指示することを可能にする。
【０１１３】
また、日付が１日の０時に達した時点で、第１暦指針５は瞬間的に１日を指示し、日付が１６日の０時に達した時点で、第２暦指針６は瞬間的に１６日を指示することができ、かつ第１暦指針５および第２暦指針６は、略扇形に往復回動する、いわゆるレトログラード表示を可能にする。
【０１１４】
また、第１暦指針５が指示する１日から１５日の日付を表す略扇形の円弧形状の第１暦表示目盛１０と、第２暦指針６が指示する１６日から３１日の日付を表す略扇形の円弧形状の第２暦表示目盛１１と、を時刻表示指針の回転軸を挟んで対向する位置に配置している。したがって、第１暦表示目盛１０と第２暦表示目盛１１との間に、曜日表示、ぜんまいの持続残量表示を配置することができ、表示機能を充実しながら統一感、精密感のあるデザインを実現することができる。なお「対向」とは、秒針車３１の中心軸（＝時刻表示指針の回転軸の中心）を通る線を基準として線対称的に配置されることおよび秒針車３１の中心軸を中心として点対称的に配置されることの２つを含む。
【０１１５】
なお、１箇月が３１日ではなく、３０日や２８日の場合、その月の最終日が終了した翌日にリューズを操作して時刻を進ませることで、第１暦指針５が１日を指示するようにすることができる。また、このようなリューズによる操作ではなく、２４時間を１度に進ませるボタンを設け、そのボタンを操作することで、２４時間、４８時間、７２時間をそれぞれ進ませるようにすることで、１日の表示をさせるようにしてもよい。
【０１１６】
以上、本発明の実施の形態に係る暦時計１などを説明したが、本発明は、前述の実施の形態に限定されるものではなく、本発明の目的を達成できる範囲での変形、改良等は本発明に含まれるものである。たとえば、前述した実施形態１では、時計の９時位置に第１暦指針５、３時方向に第２暦指針６を配置する構成を例示したが、これらの指針位置は任意に変更可能である。
【０１１７】
たとえば、基礎ムーブメント３０に対して、暦機構および持続算残量表示機構を任意の角度に回転して配置することが可能である。具体的には、時計の９時位置に第２暦指針６、３時方向に第１暦指針５を配置することや、時計の１２時位置に第１暦指針５、６時方向に第２暦指針６を配置するようにしたり、その逆に配置したりしてもよい。
【０１１８】
その際、基礎ムーブメント３０の上に配置される第１機枠４０を含めて上部の各機構をそのまま回転すれば、実現可能となる。なお、持続残量表示機構については、香箱１６０と持続残量表示車１７０との間に、回転を伝達する歯車を適宜配置することで上述の配置を可能にする。
【０１１９】
また、実施形態１やその変形例では、１箇月の３１日を、１日から１５日までの表示と、１６日から３１日までの表示に２分割表示しているが、本形態例の技術思想を踏襲すれば、１箇月の３１日を１日から１０日、１１日から２０日、２１日から３１日の３分割表示とすることができる。この場合、１箇月である３１日分の暦表示のうち、１日から１０日の日付を指示する第１暦指針と、１１日から２０日の日付を指示する第２暦指針と、２１日から３１日の日付を指示する第３暦指針と、第１暦指針が固定される第１暦車と、第２暦指針が固定される第２暦車と、第３暦指針が固定される第３暦車と、共通の回転軸を有する第１暦送りカムと第２暦送りカムと第３暦送りカムと、第１暦送りカムの回転に連動して第１暦車を回動する第１暦送り部材と、第２暦送りカムの回転に連動して第２暦車を回動する第２暦送り部材と、第３暦送りカムの回転に連動して第３暦車を回動する第３暦送り部材と、を設ける構成となる。また、同様にして、１箇月を４分割表示としたり、５分割表示としたりなど、４分割以上の分割表示とすることができる。
【０１２０】
また、実施形態１においては、日付の表示は、「・」と「英数字」で表しているが、「Ｆｉｒｓｔ」「Ｓｅｃｏｎｄ」などの英語表示や、「一」「二」などの日本語表示としたり、数字などを示さず、単に、「・」のみとしたりしてもよい。さらに、実施形態１では、第１暦表示目盛１０と第２暦表示目盛１１が略扇形の円弧形状とされているが、各暦表示のための目盛部分は、三角の二辺形状としたり、平らな皿の断面形状としたりなど、他の形状を採用してもよい。また、実施形態１では、第１暦送りカム６０と第２暦送りカム７０は、重ねるように配置することで共通の回転中心を有しているが、第１暦送りカム６０と第２暦送りカム７０は、重ねるように配置せず、回転中心を分離させたカム配置としてもよい。
【符号の説明】
【０１２１】
１…暦時計、２…時針、３…分針、４…秒針、５…第１暦指針、６…第２暦指針、７…曜日表示指針、８…持続残量表示指針、９…文字板、１０…第１暦表示目盛、１１…第２暦表示目盛、１２…曜日表示目盛、１３…持続残量表示目盛、６０…第１暦送りカム、７０…第２暦送りカム、８０…第１暦送りレバー（第１暦送り部材）、９０…第２暦送りレバー（第２暦送り部材）、１００…第１暦車、１１０…第２暦車
【図１】
2012013457.tif 000003
【図２】
2012013457.tif 000004
【図３】
2012013457.tif 000005
【図４】
2012013457.tif 000006
【図５】
2012013457.tif 000007
【図６】
2012013457.tif 000008
【図７】
2012013457.tif 000009
【図８】
2012013457.tif 000010
【図９】
2012013457.tif 000011